(57)【要約】      （修正有）【課題】コンデンサのリードに形成した電気素子をフィルタ素子として機能させるノイズフィルタを提供する。【解決手段】ノイズフィルタＡは、コンデンサ２０と、コンデンサ２０に設けられたコイル用リード２５（リード）と、コイル用リード２５に形成されたインダクタ２６（電気素子）とを備えている。インダクタ２６がフィルタ素子として機能するので、コンデンサ２０とは別体のインダクタを設ける場合に比べ、部品点数が少ない。【選択図】図１
2017158136.tif 000002
【特許請求の範囲】
【請求項１】
コンデンサと、
前記コンデンサに設けられたリードと、
前記リードに形成されてフィルタ素子として機能する電気素子とを備えていることを特徴とするノイズフィルタ。
【請求項２】
２つの前記コンデンサが設けられ、
前記２つのコンデンサは、夫々、入出力側電極とアース側電極とを有し、
２つの前記入出力側電極に、夫々、入出力用端子が接続され、
前記アース側電極にアース用端子が接続され、
２つの前記入出力側電極から個別に導出した前記リード同士が接続され、
２本の前記リードのうち少なくとも一方に前記電気素子が形成されていることを特徴とする請求項１記載のノイズフィルタ。
【請求項３】
前記コンデンサが入出力側電極とアース側電極とを有し、
前記入出力側電極に、一対の入出力用端子のうち一方の前記入出力用端子が接続され、
前記アース側電極にアース用端子が接続され、
前記入出力側電極から導出した前記リードに前記電気素子が形成され、
前記リードが、他方の前記入出力用端子に接続されていることを特徴とする請求項１記載のノイズフィルタ。
【請求項４】
前記コンデンサが入出力側電極とアース側電極とを有し、
前記入出力側電極から２本の前記リードが導出され、
前記２本のリードの両方に前記電気素子が形成され、
前記２本のリードが、夫々、入出力用端子に接続され、
前記アース側電極にアース用端子が接続されていることを特徴とする請求項１ないし請求項３のいずれか１項に記載のノイズフィルタ。
【発明の詳細な説明】
【技術分野】
【０００１】
本発明は、ノイズフィルタに関するものである。
【背景技術】
【０００２】
特許文献１には、ケース内に２つのコンデンサと１つのコイル状のインダクタを設けたπ型のノイズフィルタが開示されている。各コンデンサから突出した２本のリードのうち一方のリードは、入出力用端子に接続され、他方のリードはアース用端子に接続されている。そして、コイルの両端は２つの入出力用端子に接続されている。
【先行技術文献】
【特許文献】
【０００３】
【特許文献１】特開２００９−２９０３７７号公報
【発明の概要】
【発明が解決しようとする課題】
【０００４】
上記のノイズフィルタは、コンデンサとコイルが別体の部品であるため、部品点数が多いという問題がある。
【０００５】
本発明は上記のような事情に基づいて完成されたものであって、部品点数を削減することを目的とする。
【課題を解決するための手段】
【０００６】
本発明のノイズフィルタは、
コンデンサと、
前記コンデンサに設けられたリードと、
前記リードに形成されてフィルタ素子として機能する電気素子とを備えているところに特徴を有する。
【発明の効果】
【０００７】
この構成によれば、コンデンサのリードに形成した電気素子をフィルタ素子として機能させることができるので、コンデンサとは別体のフィルタ素子を設ける場合に比べると、部品点数が少なくて済む。
【図面の簡単な説明】
【０００８】
【図１】実施例１のノイズフィルタの平面図
【図２】実施例１のノイズフィルタの等価回路
【図３】実施例２のノイズフィルタの平面図
【図４】実施例２のノイズフィルタの等価回路
【図５】実施例３のノイズフィルタの平面図
【図６】実施例３のノイズフィルタの等価回路
【図７】実施例４のノイズフィルタの平面図
【図８】実施例４のノイズフィルタの等価回路
【発明を実施するための形態】
【０００９】
本発明は、２つの前記コンデンサが設けられ、前記２つのコンデンサは、夫々、入出力側電極とアース側電極とを有し、２つの前記入出力側電極に、夫々、入出力用端子が接続され、前記アース側電極にアース用端子が接続され、２つの前記入出力側電極から個別に導出した前記リード同士が接続され、２本の前記リードのうち少なくとも一方に前記電気素子が形成されていてもよい。この構成によれば、ノイズフィルタがπ型フィルタとして機能する。
【００１０】
本発明は、前記コンデンサが入出力側電極とアース側電極とを有し、前記入出力側電極に、一対の入出力用端子のうち一方の前記入出力用端子が接続され、前記アース側電極にアース用端子が接続され、前記入出力側電極から導出した前記リードに前記電気素子が形成され、前記リードが、他方の前記入出力用端子に接続されていてもよい。この構成によれば、ノイズフィルタがＬ型フィルタとして機能する。
【００１１】
本発明は、前記コンデンサが入出力側電極とアース側電極とを有し、前記入出力側電極から２本の前記リードが導出され、前記２本のリードの両方に前記電気素子が形成され、前記２本のリードが、夫々、入出力用端子に接続され、前記アース側電極にアース用端子が接続されていてもよい。この構成によれば、ノイズフィルタがＴ型フィルタとして機能する。
【００１２】
＜実施例１＞
以下、本発明を具体化した実施例１を図１〜図２を参照して説明する。本実施例１のノイズフィルタＡは、ケース１０と、２つの入出力用端子１５と、１つのアース用端子１６と、２つのコンデンサ２０とを備えて構成されている。ケース１０は、合成樹脂等の絶縁性材料からなる。ケース１０は、内部が収容空間１２となっている本体部１１と、本体部１１の前壁部１３から前方へフード状に突出した左右一対の嵌合部１４とから構成されている。
【００１３】
本体部１１の前壁部１３には、左右一対の入出力用端子１５が前後に貫通した形態で取り付けられている。一方の入出力用端子１５は入力側端子となり、他方の入出力用端子１５は出力側端子となる。各入出力用端子１５の前端部は、嵌合部１４内に収容されてワイヤーハーネス（図示省略）に接続される。各入出力用端子１５の後端部は、収容空間１２の前端部に配されている。
【００１４】
本体部１１の後端部には、アース用端子１６が取り付けられている。アース用端子１６の前端部は、収容空間１２内に配され、コンデンサ２０との接続部として機能する。アース用端子１６の後端部は、本体部１１の外部後方へ露出し、アースポイントＥに接続するためのアース機能部１７となっている。
【００１５】
収容空間１２内には、２つのコンデンサ２０が左右に並んで収容されている。各コンデンサ２０の外面のうち前端面は入出力側電極２１となっている。各コンデンサ２０の外面のうち後端面はアース側電極２２となっている。各入出力側電極２１からは、夫々、端子側リード２３が前方へ導出されている。各端子側リード２３の前端部は、夫々、入出力用端子１５の後端部に半田付け等により接続されている。各アース側電極２２からは、夫々、アース側リード２４が後方へ導出されている。各アース側リード２４の後端部は、夫々、アース用端子１６の前端部に半田付け等により接続されている。
【００１６】
各入出力側電極２１からは、夫々、１本のコイル用リード２５（請求項に記載のリード）が前方へ導出されている。この２本のコイル用リード２５の導出端（前端）同士は、半田付け等により導通可能に接続されている。各コイル用リード２５の長さ方向における途中には、夫々、インダクタ２６（請求項に記載の電気素子）が形成されている。インダクタ２６は、コイル用リード２５を螺旋状に成形したものである。インダクタ２６は、コンデンサ２０と同様、フィルタ素子として機能する。そして、２つのインダクタ２６は、コイル用リード２５と入出力側電極２１と端子側電線とを介すことにより、２つの入出力用端子１５を導通させる。
【００１７】
本実施例１のノイズフィルタＡは、２つのコンデンサ２０と、コンデンサ２０に設けられたコイル用リード２５と、コイル用リード２５に形成されてフィルタ素子として機能するコイル状のインダクタ２６とを備えている。この構成によれば、コンデンサ２０のコイル用リード２５に形成した電気素子であるインダクタ２６がフィルタ素子として機能するので、コンデンサ２０とは別体のインダクタ２６（フィルタ素子）を設ける場合に比べると、部品点数が少なくて済む。
【００１８】
また、本実施例１のノイズフィルタＡは、２つのコンデンサ２０が、夫々、入出力側電極２１とアース側電極２２とを有しており、２つの入出力側電極２１に、夫々、入出力用端子１５が接続され、アース側電極２２にアース用端子１６が接続されている。そして、２つの入出力側電極２１から個別に導出したコイル用リード２５同士が接続され、２本のコイル用リード２５の両方にインダクタ２６が形成されている。この構成により、本実施例１のノイズフィルタＡはπ型フィルタとして機能する。
【００１９】
＜実施例２＞
次に、本発明を具体化した実施例２を図３〜図４を参照して説明する。本実施例２のノイズフィルタＢは、コンデンサ３０とインダクタ３６（請求項に記載の電気素子）を上記実施例１とは異なる構成としたものである。その他の構成（ケース１０、入出力用端子１５、及びアース用端子１６）については上記実施例１と同じであるため、同じ構成については、同一符号を付し、構造、作用及び効果の説明は省略する。
【００２０】
ケース１０の収容空間１２内には、１つのコンデンサ３０が収容されている。コンデンサ３０の外面のうち前端面は入出力側電極３１となっている。コンデンサ３０の外面のうち後端面はアース側電極３２となっている。入出力側電極３１からは、端子直結用リード３３が前方へ導出されている。端子直結用リード３３の前端部は、一対の入出力用端子１５のうち一方の入出力用端子１５の後端部に半田付け等により接続されている。アース側電極３２から導出したアース側リード３４の後端部は、アース用端子１６の前端部に半田付け等により接続されている。
【００２１】
入出力側電極３１からは、１本のコイル用リード３５（請求項に記載のリード）が前方へ導出されている。コイル用リード３５の前端部は、一対の入出力用端子１５のうち他方の入出力用端子１５の後端部に半田付け等により接続されている。コイル用リード３５の長さ方向における途中には、インダクタ３６が形成されている。インダクタ３６は、コイル用リード３５を螺旋状に成形したものであり、入出力用端子１５とコンデンサ３０とを接続する。インダクタ３６は、コンデンサ３０と同様、フィルタ素子として機能する。
【００２２】
本実施例２のノイズフィルタＢは、１つのコンデンサ３０と、コンデンサ３０に設けられたコイル用リード３５と、コイル用リード３５に形成されてフィルタ素子として機能するコイル状のインダクタ３６とを備えている。この構成によれば、コイル用リード３５に形成した電気素子であるインダクタ３６がフィルタ素子として機能するので、コンデンサ３０とは別体のインダクタ３６（フィルタ素子）を設ける場合に比べると、部品点数が少なくて済む。
【００２３】
また、コンデンサ３０は入出力側電極３１とアース側電極３２とを有し、入出力側電極３１には、一対の入出力用端子１５のうち一方の入出力用端子１５が接続され、アース側電極３２にはアース用端子１６が接続されている。そして、入出力側電極３１から導出したコイル用リード３５にはインダクタ３６が形成され、コイル用リード３５が、他方の入出力用端子１５に接続されている。この構成により、本実施例２のノイズフィルタＢはＬ型フィルタとして機能する。
【００２４】
＜実施例３＞
次に、本発明を具体化した実施例３を図５〜図６を参照して説明する。本実施例３のノイズフィルタＣは、コンデンサ４０とインダクタ４５（請求項に記載の電気素子）を上記実施例１とは異なる構成としたものである。その他の構成（ケース１０、入出力用端子１５、及びアース用端子１６）については上記実施例１と同じであるため、同じ構成については、同一符号を付し、構造、作用及び効果の説明は省略する。
【００２５】
ケース１０の収容空間内には、１つのコンデンサ４０が収容されている。コンデンサ４０の外面のうち後端面はアース側電極４１となっている。アース側電極４１から導出したアース側リード４２の後端部は、アース用端子１６の前端部に半田付け等により接続されている。コンデンサ４０の外面のうち前端面は入出力側電極４３となっている。
【００２６】
入出力側電極４３からは、左右一対のコイル用リード４４（請求項に記載のリード）が前方へ導出している。一対のコイル用リード４４の前端部は、夫々、一対の入出力用端子１５の後端部に半田付け等により個別に接続されている。一対のコイル用リード４４の長さ方向における途中には、夫々、インダクタ４５が形成されている。インダクタ４５は、コイル用リード４４を螺旋状に成形したものであり、入出力用端子１５とコンデンサ４０とを接続する。インダクタ４５は、コンデンサ４０と同様、フィルタ素子として機能する。
【００２７】
本実施例３のノイズフィルタＣは、１つのコンデンサ４０と、コンデンサ４０に設けられたコイル用リード４４と、コイル用リード４４に形成されてフィルタ素子として機能するコイル状のインダクタ４５とを備えている。この構成によれば、コンデンサ４０のコイル用リード４４に形成した電気素子であるインダクタ４５がフィルタ素子として機能するので、コンデンサ４０とは別体のインダクタ４５（フィルタ素子）を設ける場合に比べると、部品点数が少なくて済む。
【００２８】
また、コンデンサ４０はアース側電極４１と入出力側電極４３とを有しており、前記アース側電極４１にはアース用端子１６が接続されている。入出力側電極４３からは２本のコイル用リード４４が導出され、２本のコイル用リード４４の両方にインダクタ４５が形成されてい。。そして、２本のリードの先端部は、夫々、入出力用端子１５に個別に接続されている。この構成によれば、ノイズフィルタＣがＴ型フィルタとして機能する。
【００２９】
＜実施例４＞
次に、本発明を具体化した実施例４を図７〜図８を参照して説明する。本実施例４のノイズフィルタＤは、コンデンサ５０とインダクタ５５（請求項に記載の電気素子）を上記実施例１とは異なる構成としたものである。その他の構成（ケース１０、入出力用端子１５、及びアース用端子１６）については上記実施例１と同じであるため、同じ構成については、同一符号を付し、構造、作用及び効果の説明は省略する。
【００３０】
ケース１０の収容空間内には、１つのコンデンサ５０が収容されている。コンデンサ５０の外面のうち一方の外側面は第１電極５１となっており、他方の外側面は第２電極５２となっている。第１電極５１と第２電極５２からは、夫々、１本の端子直結用リード５３が前方へ屈曲して導出されている。一方の端子直結用リード５３の前端部は、一対の入出力用端子１５のうち一方の入出力用端子１５の後端部に半田付け等により接続されている。他方の端子直結用リード５３の前端部は、一対の入出力用端子１５のうち他方の入出力用端子１５の後端部に半田付け等により接続されている。
【００３１】
また、第１電極５１からは、端子直結用リード５３とは別にアース側リード５４（請求項に記載のリード）が後方へ屈曲して導出されている。アース側リード５４の後端部は、アース用端子１６の前端部に半田付け等により接続されている。アース側リード５４の長さ方向における途中には、インダクタ５５（請求項に記載の電気素子）が形成されている。インダクタ５５は、アース側リード５４を螺旋状（コイル状）に成形したものであり、コンデンサ５０とアース用端子１６とを接続する。インダクタ３６は、コンデンサ３０と同様、フィルタ素子として機能する。
【００３２】
本実施例４のノイズフィルタＤは、１つのコンデンサ５０と、コンデンサ５０に設けられたアース側リード５４と、アース側リード５４に形成されてフィルタ素子として機能するコイル状のインダクタ５５とを備えている。この構成によれば、アース側リード５４に形成した電気素子であるインダクタ５５がフィルタ素子として機能するので、コンデンサ５０とは別体のインダクタ５５（フィルタ素子）を設ける場合に比べると、部品点数が少なくて済む。また、上記実施例１〜３のノイズフィルタＡ，Ｂ，Ｃがローパスフィルタとして機能するのに対し、本実施例４のノイズフィルタＤはハイパスフィルタとして機能する。
【００３３】
＜他の実施例＞
本発明は上記記述及び図面によって説明した実施例に限定されるものではなく、例えば次のような実施例も本発明の技術的範囲に含まれる。
（１）上記実施例１では、２つのコンデンサの両方にインダクタを形成したが、インダクタは、いずれか一方のコンデンサのみに形成してもよい。
（２）上記実施例１〜３では、アース側電極とアース用端子をアース側リードを介して接続したが、アース側リードを設けずに、アース側電極とアース用端子とを、直接、接続してもよい。
（３）上記実施例１〜３では、インダクタ（電気素子）をコイル状に巻回したものとしたが、インダクタ（電気素子）は、同一平面上で渦巻き状に巻回したものであってもよい。
（４）上記実施例１〜３では、コイル状に巻回したものだけでフィルタ素子（インダクタ）としての機能を発揮させているが、コイルの内部に磁性体コアを配置したものや、同一平面上で渦巻き状に巻回した線材の渦の中心部に磁性体コアを配置したものを電気素子（インダクタ）として機能させてもよい。
（５）上記実施例１〜３では、コンデンサのリードによって形成される電気素子がインダクタであるが、リードによって形成される電気素子は、公知の巻線抵抗であってもよい。
（６）上記実施例１〜３では、１つの電極から２本のリードを導出させたが、１つの電極から導出させるリードの本数は、３本以上であってもよい。
【符号の説明】
【００３４】
Ａ，Ｂ，Ｃ，Ｄ…ノイズフィルタ
１５…入出力用端子
１６…アース用端子
２０，３０，４０，５０…コンデンサ
２１，３１，４３…入出力側電極
２２，３２，４１…アース側電極
２５，３５，４４…コイル用リード（リード）
２６，３６，４５，５５…インダクタ（電気素子）
５４…アース側リード（リード）
【図１】
2017158136.tif 000003
【図２】
2017158136.tif 000004
【図３】
2017158136.tif 000005
【図４】
2017158136.tif 000006
【図５】
2017158136.tif 000007
【図６】
2017158136.tif 000008
【図７】
2017158136.tif 000009
【図８】
2017158136.tif 000010